(57)【要約】      （修正有）【課題】主に円形乃至円盤状の食品をほぼ正確に等分する為の目印を付ける事を目的とする用具を提供する。【解決手段】ブロックの一部に具備された切刃状のものを対象となる食品の中心付近に押し当てる事で刻印され、切り分ける為の目印となる。ブロックの数を６個程用意し、それぞれのブロックの一部には３から８等分された切刃状のものが具備され、必用に応じて使い分ける事ができる。【選択図】図２３
0003162166.tif 000002
【実用新案登録請求の範囲】
【請求項１】
主に円盤乃至円形の食品を等分に切り分ける際の目印を付ける為に、ブロックの一部に切刃が具備された事を特徴とする食品用等分具。    
【請求項２】
それぞれのブロックは独立した形態であり、各ブロックにはそれぞれ3から8枚の切刃が具備されており、スタッキングできる事を特徴とする請求項1に記載の食品用等分具。   
【請求項３】
それぞれのブロック表面には0.5ミリ程の凸状で3から8の彫刻文字が施されており、外観から切刃の数が容易に視認できる事を特徴とする請求項1乃至請求項2のいずれか1項に記載の食品用等分具。      
【請求項４】
持手10の下部に穴を有し、又切刃の上部には心棒が付され容易に着脱が可能で、必用に応じて刃数の違う切刃を交換できる事を特徴とする請求項1乃至請求項3のいずれか 1項に記載の食品用等分具。    
【請求項５】
それぞれのブロックに具備される切刃はABS樹脂等のプラスチックによる一体成形で形 成される以外に例えば、ステンレス、アルミニューム等金属の切刃が附設される事を特徴とする請求項1乃至請求項4のいずれか1項に記載の食品用等分具。
【考案の詳細な説明】
【技術分野】
【０００１】
本考案は主に一般家庭でケーキやピザ等円形乃至円盤状の食品を等分する際の目印に関する。
【背景技術】
【０００２】
一般家庭に於いて従来はホールケーキやピザ等、円形乃至円盤状の食品を3等分、4等分或は5等分に切る時は、目分量でケーキナイフや包丁を用い切り分けるが、特に奇数を等分する作業は正確性に欠き、その為それぞれの大きさがまちまちになってしまうという欠点があった。業務用では以下に示すものが提案されている。（特許文献1、特許文献2）
【先行技術文献】
【特許文献】
【０００３】
【特許文献１】特開平08-309042号公報
【特許文献２】登録実用新案第3146314号公報
【考案の概要】
【考案が解決しようとする課題】
【０００４】
主に円形乃至円盤状の食品をほぼ正確に等分する為の目印を付ける事を目的とする用具を提供するものである。
【課題を解決するための手段】
【０００５】
本考案は上記目的を達成する為に、等分された切刃状のものがブロックの一部に具備されており、その切刃を切り分けたい食品の中心付近に押し当てる事により。ナイフや包丁を当てる目印を付ける事が出来るものである。
又、ブロックの一部に具備される切刃状の等分数をそれぞれ3から8程度用意する事で、必用に応じた切刃数のブロックを使う事が出来るものである。
又、ブロックの一部に具備される切刃部は、ABS樹脂等のプラスチックによる一体成形で形成される他、請求項4に記載のようにステンレス、アルミニューム等金属の切刃を使用しても良い。各ブロックの上方及び下方にはそれぞれ段差がもうけられており、それぞれがスタッキングできる構造となっている事でブロックを欠損することなくコンパクトに収納できる。
【考案の効果】
【０００６】
本考案の一実施形態に係る食品用等分具によれば、それ迄は目分量で円形弐至円盤状の食品を切り分けており、その為切り分けたサイズがマチマチであったが本考案の等分具を用いる事で、比較的正確に切り分ける事が可能になり、その目的を達成できるという効果が期待できる。具体的には以下に示す通りである。
図3に示すよう3等分された切刃を備えたブロック1を切り分けたい食品の中心付近に押し当てるだけで切り分ける際の目印を付けられるという効果がある。
又、図2に示すよう切刃の数を3から8程度具備されるブロックを用意する事で、必用に応じて使い分ける事ができるという効果がある。
又、図1に示すようそれぞれのブロックがスタッキングできる構造を採る事で収納時はコンパクトになり、又ブロックの欠損を防止できるという効果がある。
【図面の簡単な説明】
【０００７】
【図１】本考案の食品用等分具に係る一実施形態の斜視図。
【図２】同食品用等分具の分解斜視図。
【図３】同食品用等分具のブロック1Aの上面図。（3等分）
【図４】同食品用等分具のブロック1Aの側面図。
【図５】同食品用等分具のブロック2Aの上面図。（4等分）
【図６】同食品用等分具のブロック2Aの側面図。
【図７】同食品用等分具のブロック3Aの上面図。（5等分）
【図８】同食品用等分具のブロック3Aの側面図。
【図９】同食品用等分具のブロック4Aの上面図。（6等分）
【図１０】同食品用等分具のブロック4Aの側面図。
【図１１】同食品用等分具のブロック5Aの上面図。（7等分）
【図１２】同食品用等分具のブロック5Aの側面図。
【図１３】同食品用等分具のブロック6Aの上面図。（8等分）
【図１４】同食品用等分具のブロック6Aの側面図。
【図１５】本考案の食品用等分具に係る一実施形態の斜視図。
【図１６】同食品用等分具のブロック1Bの分解斜視図。
【図１７】本考案の食品用等分具に係る一実施形態の正面図。
【図１８】同食品用等分具の上面図。
【図１９】同食品用等分具の右側面図。
【図２０】同食品用等分具の左側面図。
【図２１】同食品用等分具のa-a断面図。
【図２２】同食品用等分具のb-b断面図。
【図２３】同食品用等分具の一実施形態を示す図。
【図２４】同食品用等分具を使用後、目印に沿ってナイフや包丁を入れた図。
【図２５】食品を等分に切り分けた図。
【図２６】本考案の食品用等分具に係る一実施形態の斜視図。
【図２７】本考案の食品用等分具に係る一実施形態の分解斜視図。
【図２８】本考案の食品用等分具に係る一実施形態の切刃１３（３等分）の斜視図。
【図２９】本考案の食品用等分具に係る一実施形態の切刃１４（４等分）の斜視図。
【図３０】本考案の食品用等分具に係る一実施形態の切刃１５（５等分）の斜視図。
【図３１】本考案の食品用等分具に係る一実施形態の切刃１６（６等分）の斜視図。
【図３２】本考案の食品用等分具に係る一実施形態の切刃１７（７等分）の斜視図。
【図３３】本考案の食品用等分具に係る一実施形態の切刃１８（８等分）の斜視図。
【図３４】本考案の食品用等分具に係る一実施形態の使用状態を示す図。
【図３５】本考案の食品用等分具に係る一実施形態の正面図。
【図３６】本考案の食品用等分具に係る一実施形態の右側面図。
【図３７】本考案の食品用等分具に係る一実施形態の左側面図。
【図３８】本考案の食品用等分具に係る一実施形態の切刃１８（８等分）の正面図。
【図３９】本考案の食品用等分具に係る一実施形態の切刃１８（８等分）の右側面図。
【図４０】本考案の食品用等分具に係る一実施形態の切刃１８（８等分）の背面図。
【考案を実施するための形態】
【０００８】
図1は本考案の一実施例に係る食品用等分具を組み立てた斜視図である。図2はその分解斜視図であり、各ブロック1乃至6はスタッキングできる構造となっている。
又、各ブロックの一部に具備される切刃はABS樹脂による一体成形が製造コストも安く好適であるが、図16に示すよう切刃8、切刃9を例えばステンレス、アルミ等の金属で作製しても良い。
又、各ブロックの形状は転がり防止という意味から断面は円以外、四角でも良い。以下に実施例を示す事で本考案の詳細を説明するが、その構成、形状は設計変更ができる。本考案は多くの異なる態様で実施することが可能であり、以下に示す実施例の記載内容に限定して解釈されるものではない。以下図面に従って説明する。
【実施例】
【０００９】
図1は本考案の一実施形態に係る食品用等分具の構成を示すもので、ブロック1A、ブロック2A、ブロック3A、ブロック4A、ブロック5A，ブロック6A、そしてキャップ7から構成され、それぞれのブロック及びキャップ7はABS樹脂などのプラスチックで成形され、スタッキングできる構造となっている。
図2は本考案の一実施形態に係る食品用等分具のキャップ7、及びブロック1Aを切り離した状態を示すものであるが、請求項1に示すよう各ブロックの一部にはそれぞれ円周に対して3から8等分された切刃が具備され、必用に応じた切刃数のブロックを使用する事ができる。
又、各ブロック外面には請求項3に示すよう0.5ミリ程の凸文字で切刃数が成形されており、外観からの目視で切刃数（等分数）が判るようになっている。
図3は本考案の一実施形態に係る食品用等分具のブロック1Aの天面であり、図4は側面を示すものであるが、切刃はABS樹脂などで一体成形される。（3等分）  
図5は本考案の一実施形態に係る食品用等分具のブロック2Aの天面であり、図6は側面を示すものである。（4等分）
図7は本考案の一実施形態に係る食品用等分具のブロック3Aの天面であり、図8は側面を示すものである。（5等分）
図9は本考案の一実施形態に係る食品用等分具のブロック4Aの天面であり、図10は側面を示すものである。（6等分）
図11は本考案の一実施形態に係る食品用等分具のブロック5Aの天面であり、図12は側面を表すものである。（7等分）
図13は本考案の一実施形態に係る食品用等分具のブロック6Aの天面であり、図14は側面を示すものである。（8等分）
図15は本考案の一実施形態に係る食品用等分具の切刃8（3等分）、及び切刃9（4等分）を請求項4に示すようステンレス、アルミニューム等の金属で作ったタイプを表した斜視図であり、以下5等分、6等分、7等分、8等分用の切刃も同様にして作られる。
図16は前記の切は8（3等分）、及びブロック1Bの分解斜視図である。
図17は本考案の一実施形態に係る食品用等分具の正面図であり、各ブロック、例えばブロック6Aの寸法L3を16.5ミリ程とし、全てのブロック及びキャップ7を組み上げた状態でその寸法L1が115から120ミリ程とし、直径L2を24から25φ程にする事がコンパクトに成り扱い易く好適である。
図18は本考案の一実施形態に係る食品用等分具の上面図である。
図19は本考案の一実施形態に係る食品用等分具の右側面図である。
図20は本考案の一実施形態に係る食品用等分具の左側面図である。
図21は本考案の一実施形態に係る食品用等分具のブロック2Aのa-a断面図であるが、切刃部の形状は食品を扱うという観点から、衛生面上容易に洗浄できるように大きなR面で構成されている。
図22はブロック1A,ブロック2A,キャップ7のそれぞれの勘合状態を表したb-b断面図である。
図23は本考案の一実施形態に係る食品用等分具の実際に使用する際の状態を表した図であるが、図に示すようキャップ7を外し、切り分けたい刃数のブロックを選ぶ。（図は3等分のブロック1A使用）次に等分したい食品の中心付近に切刃を押し付ける事でナイフや包丁を当てる為の目印が刻印される。
図24は前記の要領で付けた刻印の目印に沿ってナイフを入れた状態を示す図である。
図25は前記の要領でそれぞれの目印に沿ってナイフを入れ、3等分に切り分けた状態を示す図である。
図26は請求項4に示すよう本考案の一実施形態に係る食品用等分具の持手10の直径寸法L5を12ミリ程、長さL4に於いて100から120ミリ程のサイズで射出成形し、その下部に穴11を設ける。そして必用に応じた刃数の切刃の上部に具備される心棒12 をその穴に差し込む事でその目的を達成できる事を示すものである。
図27は前記の持手10の下部に設けられた穴11に任意の等分数の切刃（図は6等分）を組み付ける際の状態を示すものである。
図28は前記食品用等分具の一実施形態に係る切刃13（3等分）の斜視図である。
図29は同食品用等分具の一実施形態に係る切刃14（4等分）の斜視図である。
図30は同食品用等分具の一実施形態に係る切刃15（5等分）の斜視図である。
図31は同食品用等分具の一実施形態に係る切刃16（6等分）の斜視図である。
【００１０】
図32は同食品用等分具の一実施形態に係る切刃17（7等分）の斜視図である。
【００１１】
図33は同食品用等分具の一実施形態に係る切刃18（8等分）の斜視図である。
【００１２】
図34は同食品用等分具の一実施形態に係る使用状態を表す図である。
【００１３】
図35は同食品用等分具の一実施形態に係る持手10の正面図であるが，直径L5を12φ程、長さL4を100から120ミリ程にする事が扱い易く好適である。
【００１４】
図36は同食品用等分具の一実施形態に係る持手10の右側面図であるが、切刃13乃至18に具備される心棒12を受け入れる為の穴11が設けられている。
【００１５】
図37は同食品用等分具の一実施形態に係る持手10の左側面図である。
【００１６】
図38は同食品用等分具の一実施形態に係る切刃18の正面図であるが、外形寸法L6を30ミリ程に設定する事が扱い易く好適である。
【００１７】
図39は同食品用等分具の一実施形態に係る切は刃18の右側面図であるが、刃の部分の高さL7に於いて10ミリ程、心棒12の高さL8に於いて7ミリ程がコンパクトで扱い易い。
【００１８】
図40は同食品用等分具の一実施形態に係る切刃18の背面図である。
【産業上の利用可能性】
【００１９】
本考案食品用等分具によれば，食品の中心付近に必用な等分数に応じた切刃数のブロックを押し当てるだけで切り分ける為の目印が刻印され、その目印に沿ってナイフや包丁を当てる事で容易に、且つ正確に3から8等分に切り分ける有効な手段となるものである。
【符号の説明】
【００２０】
1A・・・3等分用ブロック
2A・・・4等分用ブロック
3A・・・5等分用ブロック
4A・・・6等分用ブロック
5A・・・7等分用ブロック
6A・・・8等分用ブロック
7・・・・キャップ
8・・・・3等分用切刃
9・・・・4等分用切刃
1B・・・3等分用ブロック
2B・・・4等分用ブロック
3B・・・5等分用ブロック
4B・・・6等分用ブロック
5B・・・7等分用ブロック
6B・・・8等分用ブロック
10・・・持手
11・・・穴
12・・・心棒
13・・・切刃
14・・・切刃
15・・・切刃
16・・・切刃
17・・・切刃
18・・・切刃
【図１】
0003162166.tif 000003
【図２】
0003162166.tif 000004
【図３】
0003162166.tif 000005
【図４】
0003162166.tif 000006
【図５】
0003162166.tif 000007
【図６】
0003162166.tif 000008
【図７】
0003162166.tif 000009
【図８】
0003162166.tif 000010
【図９】
0003162166.tif 000011
【図１０】
0003162166.tif 000012
【図１１】
0003162166.tif 000013
【図１２】
0003162166.tif 000014
【図１３】
0003162166.tif 000015
【図１４】
0003162166.tif 000016
【図１５】
0003162166.tif 000017
【図１６】
0003162166.tif 000018
【図１７】
0003162166.tif 000019
【図１８】
0003162166.tif 000020
【図１９】
0003162166.tif 000021
【図２０】
0003162166.tif 000022
【図２１】
0003162166.tif 000023
【図２２】
0003162166.tif 000024
【図２３】
0003162166.tif 000025
【図２４】
0003162166.tif 000026
【図２５】
0003162166.tif 000027
【図２６】
0003162166.tif 000028
【図２７】
0003162166.tif 000029
【図２８】
0003162166.tif 000030
【図２９】
0003162166.tif 000031
【図３０】
0003162166.tif 000032
【図３１】
0003162166.tif 000033
【図３２】
0003162166.tif 000034
【図３３】
0003162166.tif 000035
【図３４】
0003162166.tif 000036
【図３５】
0003162166.tif 000037
【図３６】
0003162166.tif 000038
【図３７】
0003162166.tif 000039
【図３８】
0003162166.tif 000040
【図３９】
0003162166.tif 000041
【図４０】
0003162166.tif 000042
【手続補正書】
【提出日】平成22年5月20日(2010.5.20)
【手続補正１】
【補正対象書類名】実用新案登録請求の範囲
【補正対象項目名】全文
【補正方法】変更
【補正の内容】
【実用新案登録請求の範囲】
【請求項１】
主に円盤乃至円形の食品を等分に切り分ける際の目印を付ける為に、複数のブロックと、各ブロックの一部にそれぞれ円周に対してｋ等分された位置に切刃が具備されており、ｋが３から８のいずれかの整数である事を特徴とする食品用等分具。
【請求項２】
それぞれのブロックは独立した形態であり、各ブロックにはそれぞれ３から８枚の切刃が具備されており、ブロックどうしがスタッキング出来る構造となっている事を特徴とする請求項１に記載の食品用等分具。
【請求項３】
それぞれのブロック表面には０．５ミリ程の凸状で３から８の彫刻文字が施されており、外観から切刃の数が容易に視認出来る事を特徴とする請求項１乃至請求項２のいずれか１項に記載の食品用等分具。
【請求項４】
持手１０の下部に穴を有し、又切刃の上部には心棒が付され、持手１０と切刃（例えば切刃１６）が容易に着脱が可能で、必要に応じて刃数の違う切刃を交換出来る事を特徴とする請求項１乃至請求項３のいずれか１項に記載の食品用等分具。
【請求項５】
それぞれのブロックに具備される切刃はＡＢＳ樹脂の射出成形により一体成形されるか、又はステンレス、アルミニュームのいずれかの金属の切刃が附設される事を特徴とする請求項１乃至請求項４のいずれか１項に記載の食品用等分具。